(57)【特許請求の範囲】
【請求項１】
第１のフレキシブル配線基板と、表面実装部品が搭載された第２のフレキシブル配線基板とを含み、
前記第２のフレキシブル配線基板は、前記第１のフレキシブル配線基板上の所定領域に設置され、
前記第１のフレキシブル配線基板は、第１のベース体と、当該第１のベース体の上に形成された第１の配線層と、当該第１の配線層を覆う絶縁層と、前記第１の配線層に異方性導電フィルムを介して接続された第１の表面実装部品とを有し、
前記第２のフレキシブル配線基板は、少なくとも、第２のベース体と、当該第２のベース体の表面に形成された第２の配線層と、前記第２の配線層にハンダ層を介して接続された第２の表面実装部品とを有し、
前記第２のフレキシブル配線基板の前記第２の配線層は、前記第１のフレキシブル配線基板の前記第１の配線層と重なる位置の前記絶縁層の一部を除去して設けられた層間コンタクト部を介して当該第１のフレキシブル基板の前記第１の配線層と電気的に接続された、複合フレキシブル配線基板。
【請求項２】
請求項１において、
前記第２のフレキシブル配線基板は、前記第１のフレキシブル配線基板上の一部分に配置される、複合フレキシブル配線基板。
【請求項３】
請求項１または２において、
前記第１の表面実装部品は、少なくともパワーＩＣチップを含んでいる、複合フレキシブル配線基板。
【請求項４】
請求項１〜３のいずれかにおいて、
前記第１のフレキシブル配線基板は、入力側端子領域と、出力側端子領域とを有する、
複合フレキシブル配線基板。
【請求項５】
請求項１〜４のいずれかにおいて、
前記第２の表面実装部品は、フラットパッケージ型ＬＳＩ、抵抗、コンデンサ、インダクタンス、ダイオード、トランジスタ、水晶振動子およびコネクタから選択される少なくとも１種を含んでいる、複合フレキシブル配線基板。
【請求項６】
請求項１〜５のいずれかにおいて、
前記層間コンタクト部は、異方性導電フィルムあるいはハンダから構成される、複合フレキシブル配線基板。
【請求項７】
請求項１〜６のいずれかにおいて、
さらに、前記第１のフレキシブル配線基板と接続されたフレキシブル配線基板を有し、
該フレキシブル配線基板は、出力側端子領域を有する、複合フレキシブル配線基板。
【請求項８】
少なくとも１の基板を有する電気光学パネルを含む電気光学装置であって、
前記基板は、配線接合領域を有し、
前記配線接合領域は、請求項１〜７に記載のいずれかの複合フレキシブル配線基板と接続される、電気光学装置。
【請求項９】
請求項８において、
前記電気光学パネルは、互いに対向する第１の基板と第２の基板とを含み、
前記第１の基板は、前記第２の基板に対して重ならない配線接合領域を有する、電気光学装置。
【請求項１０】
第１の基板と、
前記第１の基板に対向して配置され、前記第１の基板の縁部から突出する突出部を有する第２の基板と、
前記第１の基板と前記第２の基板との間に封止された電気光学材料と、
前記第２の基板の突出部にＣＯＧ実装されたドライバＩＣチップと、
前記第２の基板の突出部に形成され、前記ドライバＩＣチップに接続された配線接合領域と、
前記第２の基板の突出部に形成された前記配線接合領域に接続された、第１のフレキシブル配線基板と、
前記第１のフレキシブル配線基板に異方性導電フィルムを介して実装されたパワーＩＣチップと、
前記第１のフレキシブル配線基板上の所定領域に配置された第２のフレキシブル配線基板と、
前記第１のフレキシブル配線基板と第２のフレキシブル配線基板とを電気的に接続する層間コンタクト部と、
前記第２のフレキシブル配線基板にハンダ層を介して実装された表面実装部品とを有することを特徴とする電気光学装置。
【請求項１１】
請求項９または１０に記載の電気光学装置を含む電子機器。
【発明の詳細な説明】
【０００１】
【発明の属する技術分野】
本発明は、表面実装部品が搭載されたフレキシブル配線基板を有する複合フレキシブル配線基板、およびこの複合フレキシブル配線基板が適用される電気光学装置ならびに電子機器に関する。
【０００２】
【背景技術】
近年、表示装置は、携帯機器、家庭、オフィス・工場、自動車などの情報表示端末として広く用いられている。特に、液晶表示装置は、薄型、軽量、低電圧、低消費電力などの特徴を有している。たとえば液晶表示装置は、電子ディスプレイの中心的存在であり、低消費電力を生かしてＰＤＡ（個人携帯情報端末）などへの応用が益々盛んになっている。
【０００３】
従来の液晶表示装置としては、図１４に示すような、たとえばパッシブマトリクス駆動方式あるいはスイッチング素子として薄膜ダイオード（ＴＦＤ：Thin Film Diode）などの２端子型非線形素子を用いたアクティブマトリクス方式の液晶表示装置１がある。この液晶表示装置１は、液晶表示パネル２とプリント基板３とを有する。液晶表示パネル２とプリント基板３とは、第１および第２のフレキシブル配線基板４、５を介して電気的に接続されている。
【０００４】
液晶表示パネル２は、相対向して配置された一対のガラス基板６、７を有している。これらガラス基板６、７の間には、表示領域を周回するように介在された図示しないシール材が配置されている。そして、これらガラス基板６、７とシール材とで形成される間隙には、液晶が封止されている。ガラス基板６の面であってガラス基板７と対向する面（ガラス基板６の対向面）には、複数の信号電極８が平行をなすように形成されている。一方、ガラス基板７の面であってガラス基板６と対向する面（ガラス基板７の対向面）には、信号電極８と直交する方向に沿って複数の走査電極９が形成されている。
【０００５】
液晶表示パネル２の所定の側縁部（図１４において下側縁部）においては、ガラス基板６の縁部がガラス基板７の縁部より側方（図中、下側）へ突出するように設定され、この突出部（ガラス基板６がガラス基板７と重ならない領域）が配線接合領域６Ａを構成する。また、液晶表示パネル２の上述した側縁部に隣接する側縁部（図中、左側縁部）においては、他方のガラス基板７の縁部が一方のガラス基板６の縁部より側方（図中、左側）へ突出するように設定され、配線接合領域７Ａを構成する。そして、ガラス基板６側の配線接合領域６Ａには、信号用ドライバＩＣチップ８０Ａ、８０ＢがＣＯＧ（Chip On Glass）実装されている。これらの信号用ドライバＩＣチップ８０Ａ、８０Ｂは、複数の信号電極８が延在された出力端子部８Ａと、配線接合領域６Ａの縁部側に配置された入力端子部８１０とに接続されている。また、ガラス基板７の配線接合領域７Ａには、走査用ドライバＩＣチップ９０がＣＯＧ実装されている。この走査用ドライバＩＣチップ９０は、複数の走査電極９が延在された出力端子部９Ａと、配線接合領域７Ａの縁部側に配置された入力端子部９１０とに接続されている。
【０００６】
そして、第１のフレキシブル配線基板４の出力側端子部分４Ａは、ガラス基板６の配線接合領域６Ａの長辺部に沿って配置された複数の入力端子部８１０に対して電気的に接続されるように、異方性導電フィルム（ＡＣＦ：Anisotropic Conductive Film）を介して接合されている。また、同様に、第２のフレキシブル配線基板５の出力側端子部分５Ａは、ガラス基板７の配線接合領域７Ａの長辺部に沿って配置された複数の入力端子部９１０に対して電気的に接続されるように、異方性導電フィルムを介して接合されている。そして、第１のフレキシブル配線基板４の入力側端子部分４Ｂは、プリント基板３に形成された出力端子部３Ａに異方性導電フィルムあるいはコネクタを介して接合されている。また、第２のフレキシブル配線基板５の入力側端子部分５Ｂは、プリント基板３に形成された出力端子部分３Ｂに異方性導電フィルムあるいはコネクタを介して接合されている。なお、プリント基板３には、所定の配線が形成されるとともに、液晶表示パネル２を制御・駆動するための各種の電子部品が搭載されている。
【０００７】
上述した構成の液晶表示装置を用いた電子機器としては、たとえばキーボードやテンキーなどの入力部を備え、入力部への入力操作に応じて液晶表示パネルでデータの表示を行なうものがある。このような電子機器においては、液晶表示パネルとプリント基板とがシャーシ（パネル収納枠）に組み込まれている。このとき、プリント基板が液晶表示パネルの後方側に配置されるように、２つのフレキシブル配線基板が曲げ込まれている。
【０００８】
【発明が解決しようとする課題】
しかしながら、上記したような液晶表示装置では、制御回路基板としてのプリント基板３が液晶パネル２の裏側に配置されるため、液晶表示装置全体の厚さや電子機器の表示部の厚さが厚くなる。このため、液晶表示装置や電子機器の軽量化や薄型化を図る際に、プリント基板３の存在がそれを阻んでいた。携帯電話や携帯性を重視したポケットサイズのパーソナルコンピュータなどの携帯用情報機器では、特に筐体の厚さ寸法が限界まで求められている。
【０００９】
このような制御回路基板による厚みの問題は、パッシブマトリクス駆動方式や、２端子非線型素子を用いたアクティブマトリクス駆動方式の液晶表示装置に限られるものではなく、薄膜トランジスタ（ＴＦＴ：Thin Film Transistor）を画素毎に有するアクティブマトリクス駆動方式の液晶表示装置や、エレクトロルミネッセンス（ＥＬ）表示装置などの各種の表示装置においても同様である。このように、液晶表示装置に限らず、携帯性、移動性の観点から、各種の電気光学装置の小型・軽量化が要望されている。これに伴い電気光学装置の駆動に用いる電子部品を、限られた大きさ、重量の中でいかに高密度実装できるかが課題となっている。
【００１０】
本発明の目的は、表面実装部品が搭載され、ハイブリッドＩＣを構成することができる複合フレキシブル配線基板およびその製造方法を提供することにある。
【００１１】
本発明の他の目的は、本発明に係る複合フレキシブル配線基板を用い、小型・軽量化が可能な電気光学装置および電子機器を提供することにある。
【００１２】
【課題を解決するための手段】
本発明に係る複合フレキシブル配線基板は、第１のフレキシブル配線基板と、表面実装部品が搭載された第２のフレキシブル配線基板とを含み、
前記第２のフレキシブル配線基板は、前記第１のフレキシブル配線基板上の所定領域に設置され、
前記第１のフレキシブル配線基板および前記第２のフレキシブル配線基板は、所定位置に設けられた層間コンタクト部を介して電気的に接続されている。
【００１３】
この複合フレキシブル配線基板によれば、以下の作用効果を有する。
【００１４】
（ａ）第１および第２のフレキシブル配線基板が重ねられた状態で接合されるので、配線層および電子部品を２枚のフレキシブル配線基板に分配できる。したがって、複合フレキシブル配線基板の単位面積当たりの実装密度を大きくでき、しかも設計の自由度が高まる。
【００１５】
（ｂ）上述のように、２枚のフレキシブル配線基板を重ねることで実装密度を大きくできることから、同等の電気回路を一枚のフレキシブル配線基板に形成する場合に比べて基板面積を大幅に小さくできる。
【００１６】
（ｃ）表面実装部品が搭載された第２のフレキシブル配線基板を含むので、単なる配線基板の機能だけでなく、ハイブリッドＩＣを構成でき、例えばコントロール回路機能、電源制御用回路、昇圧回路機能、ＤＣ／ＤＣコンバーターなどを付加することができる。このように複合フレキシブル配線基板にたとえばコントロール機能を持たせることができれば、サイズが大きく、重い、リジットのコントロール基板を必要としないので、これを用いた電気光学装置および電子機器の小型化，軽量化を達成できる。
【００１７】
（ｄ）第１および第２のフレキシブル配線基板を別の工程で形成できるので、接合工程の条件による制約が少なくなる。例えば、ハンダによって電気的接続を行う場合には、約２００〜２６０℃の温度が必要とされ、異方性導電フィルムによって電気的接続を行う場合には、約１９０〜２１０℃の温度が必要とされ、接合方法によって処理温度が異なる。第１および第２のフレキシブル配線基板で異なる接合方法を採用する場合には、それぞれ適切な温度を採用できる。
【００１８】
また、表面実装部品が搭載された第２のフレキシブル配線基板を購入部品として取り扱うことも可能となり、この場合、表面実装部品の搭載に関わる設備等を設ける必要がなくなる。
【００１９】
本発明に係る複合フレキシブル配線基板は、さらに、以下の態様を有することができる。
【００２０】
（１）前記第２のフレキシブル配線基板は、前記第１のフレキシブル配線基板上の一部分に配置されることが望ましい。この構成によれば、第１のフレキシブル配線基板の所定領域に第２のフレキシブル配線基板を載置して固定することで、容易に複合フレキシブル配線基板を製造できる。
【００２１】
（２）前記第１のフレキシブル配線基板は、少なくともパワーＩＣチップを搭載してなることが望ましい。この構成によれば、１枚の複合フレキシブル配線基板によってコントロール回路を構成できる。コントロール回路を構成するための電子部品は、必要に応じて、パワーＩＣチップの他にもフラットパッケージ型ＬＳＩ、抵抗、コンデンサ、インダクタンス、ダイオード、トランジスタ、コネクタ、水晶振動子などを用いることができる。パワーＩＣチップは、異方性導電フィルムを介して前記第１のフレキシブル配線基板の導電層に接続することができる。
【００２２】
（３）前記第１のフレキシブル配線基板は、入力側端子領域と、出力側端子領域とを有することが望ましい。この構成によれば、各種の電気光学装置に適用しやすい。
【００２３】
（４）前記第２のフレキシブル配線基板は、フラットパッケージ型ＬＳＩ、抵抗、コンデンサ、インダクタンス、ダイオード、トランジスタ、水晶振動子およびコネクタから選択される少なくとも１種の表面実装部品を有することができる。これらの表面実装部品は、複合フレキシブル配線基板に形成される回路に応じて選択される。前記表面実装部品は、ハンダ層あるいは異方性導電フィルムを介して前記第２のフレキシブル配線基板の導電層に接続することができる。
【００２４】
（５）前記層間コンタクト部は、異方性導電フィルムあるいはハンダから構成することができる。パワーＩＣチップの接合方法として異方性導電フィルムを使用することを考慮すると、異方性導電フィルムによって形成されることが望ましい。この場合、第１のフレキシブル配線基板は、ハンダのリフローを行わずに済むため、フレキシブル配線基板の熱による反り等の変形に伴う不具合を解消できる効果や、たとえば、表面実装部品のハンダクリーム印刷の際にパワーＩＣチップ搭載部を逃げるレイアウト制約を受けないため、設計の自由度が高まる。
【００２５】
（６）さらに、前記第１のフレキシブル配線基板と接続されたフレキシブル配線基板を有し、該フレキシブル配線基板は、出力側端子領域を有することができる。この構成によれば、１枚の複合フレキシブル配線基板によって、被接合体（電気光学装置）の２つの異なる端子領域に接続できるので、フレキシブル配線基板の部品点数を少なくできる。
【００２６】
本発明に係る複合フレキシブル配線基板の製造方法は、
第１および第２のフレキシブル配線基板をそれぞれ形成する工程、および
前記第１および第２のフレキシブル配線基板を、層間コンタクト部で電気的に接続する工程、を含む。
【００２７】
この製造方法によれば、第１および第２のフレキシブル配線基板を位置決めした状態で、両者の間に導電体を介在させることで、層間コンタクト部を形成すると共に、第１および第２のフレキシブル配線基板を接合できる。そして、上述したように、本発明に係る複合フレキシブル配線基板は、１枚のフレキシブル配線基板を用いる場合に比べてその面積を相対的に小さくできる。その結果、複合フレキシブル配線基板を効率よく容易に製造方法できる。
【００２８】
前記層間コンタクト部は、例えば、異方性導電フィルムを介在させて前記第１のフレキシブル配線基板と前記第２のフレキシブル配線基板とを熱圧着させることにより、比較的低い温度で容易に形成することができる。
【００２９】
本発明に係る電気光学装置は、少なくとも１の基板を有する電気光学パネルを含む電気光学装置であって、
前記基板は、配線接合領域を有し、
前記配線接合領域は、請求項１〜請求項９に記載のいずれかの複合フレキシブル配線基板と接続される。
【００３０】
前記電気光学パネルは、互いに対向する第１の基板と第２の基板とを含み、
前記第１の基板は、前記第２の基板に対して重ならない配線接合領域を有することができる。
【００３１】
前記第１の基板と前記第２の基板との間に、電気光学材料層として、例えば、液晶層を有することができる。
【００３２】
また、前記電気光学パネルは、前記基板上に、電気光学材料層としてエレクトロルミネッセンス構造体を有するＥＬ表示パネルであることができる。
【００３３】
本発明に係る電子機器は、本発明に係る電気光学装置を含む。
【００３４】
本発明に係る電気光学装置および電子機器は、本発明に係る複合フレキシブル配線基板を含み、その作用効果を反映して小型化並びに軽量化が可能である。
【００３５】
【発明の実施の形態】
以下、本発明に係る複合フレキシブル配線基板、電気光学装置および電子機器の例を図面を参照しながら説明する。
【００３６】
［第１の実施の形態］
（複合フレキシブル配線基板）
図１は、本発明に係る複合フレキシブル配線基板１００の一例を模式的に示す平面図であり、図２は、複合フレキシブル配線基板１００の側面図であり、図３は、図１のＡ−Ａ線に沿った部分を拡大して模式的に示す断面図である。図１および図２においては、配線パターンならびに各基板の層構造の図示を省略している。
【００３７】
複合フレキシブル配線基板１００は、第１のフレキシブル配線基板１０と、第２のフレキシブル配線基板３０とを含む。そして、第１のフレキシブル配線基板１０の表面の所定領域に第２のフレキシブル配線基板３０が接合されている。
【００３８】
まず、第１のフレキシブル配線基板１０について説明する。
【００３９】
図１および図２に示すように、第１のフレキシブル配線基板１０は、複合フレキシブル配線基板１００の全体平面形状と一致する平面形状を有する。第１のフレキシブル配線基板１０は、片面フレキシブル基板からなり、入力側端子領域１１Ａと、この入力側端子領域１１Ａより幅の大きい出力側端子領域１１Ｂとを有する。さらに、第１のフレキシブル配線基板１０には、パワーＩＣチップ１８が実装されている。
【００４０】
第１のフレキシブル配線基板１０は、図３に示すように、絶縁性および可撓性を有するベース体１２と、このベース体１２上に形成された所定パターンを有する配線層１４とを有する。第１のベース体１２上には、配線層１４を覆うように絶縁層１６が形成されている。そして、絶縁層１６の所定領域には、コンタクト部を構成するためのホールが形成されている。たとえば、ホールの例としては、第２のフレキシブル配線基板３０との電気的接続を行うための層間コンタクト部５０のためのホール１７、およびパワーＩＣチップ１８を実装するためのホール１９などがある。このようなホール１７および１９は、絶縁層１６の一部をフォトリソグラフィー技術などで除去し、配線層１４の一部が露出するように形成されている。パワーＩＣチップ１８は、その下面にバンプ１８ａを有し、異方性導電層２０を介して配線層１４と電気的に接続されている。
【００４１】
ベース体１２は、ポリイミドなどの、一般的に用いられる樹脂によって構成することきができる。また、絶縁層１６は、フォトリソグラフィーによりパターニングが可能なレジストからなる、一般的に用いられる樹脂によって構成することができる。ベース体および絶縁層の材料については、以下に述べるフレキシブル配線基板についても同様である。
【００４２】
次に、第２のフレキシブル配線基板３０について説明する。
【００４３】
第２のフレキシブル配線基板３０は、両面フレキシブル基板から構成され、ベース体３２と、このベース体３２の上面に形成された所定パターンを有する上面配線層３４と、ベース体２２の下面に形成された所定パターンを有する下面配線層３６とを有する。ベース体３２の上面には、上面配線層３４を覆うように上面絶縁層４０が形成され、ベース体２２の下面には、下面配線層３６を覆うように下面絶縁層４２が形成されている。そして、上面配線層３４と下面配線層３６とは、所定位置に形成されたスルーホールなどのコンタクト部３８によって電気的に接続されている。
【００４４】
さらに、下面絶縁層４２の所定領域には、層間コンタクト部を構成するためのホール（図示せず）が形成されている。このようなホールは、下面絶縁層４２の一部を除去し、下面配線層３６の一部が露出するように形成されている。また、図３に示す層間コンタクト部５０が形成される領域においては、下面絶縁層４２が除去され、露出した下面配線層３６によって端子部３６ａが形成されている。
【００４５】
また、上面絶縁層４０の所定領域が除去され、上面配線層３４が露出するように実装用ホール４１が形成されている。そして、この実装用ホール４１には、各種の表面実装部品４４、たとえばフラットパッケージ型ＬＳＩ、チップ部品（抵抗，コンデンサ，インダクタンス，ダイオード，トランジスタ，水晶振動子，コネクタなど）が搭載されている。これらの実装部品４４は、たとえばハンダ層４６によって上面配線層３４に電気的に接続されている。
【００４６】
そして、第１のフレキシブル配線基板１０と、第２のフレキシブル配線基板３０とは、所定の領域において異方性導電層、ハンダ層などの層間コンタクト部を介して接続されている。図３に示す例においては、第１のフレキシブル配線基板１０の配線層１４と、第２のフレキシブル配線基板３０の端子部３６ａとが、異方性導電層からなる層間コンタクト部５０によって電気的に接続されている。
【００４７】
異方性導電層は、異方性導電フィルム（ＡＣＦ）を用いて形成することができ、樹脂やエラストマーなどの高分子層中に導電性粒子が分散されて構成され、この導電性粒子によって電気的な接続がなされる。
【００４８】
次に、複合フレキシブル配線基板１００の作用効果について説明する。
【００４９】
（ａ）第１および第２のフレキシブル配線基板１０，３０が重ねられた状態で接合されるので、配線層および電子部品を２枚のフレキシブル配線基板１０，３０に分配できる。したがって、複合フレキシブル配線基板１００の単位面積当たりの実装密度を大きくでき、しかも設計の自由度が高まる。
【００５０】
（ｂ）上述のように、２枚のフレキシブル配線基板１０，３０を重ねることで実装密度を大きくできることから、同等の電気回路を一枚のフレキシブル配線基板に形成する場合に比べて基板面積を大幅に小さくできる。
【００５１】
（ｃ）表面実装部品４４が搭載された第２のフレキシブル配線基板３０を含むので、単なる配線基板の機能だけでなく、ハイブリッドＩＣを構成でき、例えばコントロール回路機能、電源制御用回路機能、昇圧回路機能、ＤＣ／ＤＣコンバーターなどを付加することができる。このように複合フレキシブル配線基板１００にコントロール機能を持たせることができれば、サイズが大きく、重い、リジットのコントロール基板を必要としないので、複合フレキシブル配線基板１００を用いた電気光学装置および電子機器の小型化，軽量化を達成できる。
【００５２】
（ｄ）第１および第２のフレキシブル配線基板１０，３０を別の工程で形成できるので、接合工程の条件による制約が少なくなる。例えば、ハンダによって電気的接続を行う場合には、約２００〜２６０℃の温度が必要とされ、異方性導電フィルムによって電気的接続を行う場合には、約１９０〜２１０℃の温度が必要とされ、接合方法によって処理温度が異なる。第１および第２のフレキシブル配線基板で異なる接合方法を採用する場合には、それぞれ適切な温度を採用できる。  すなわち、本実施の形態では、第１のフレキシブル配線基板１０の接合は、異方性導電フィルムを用いて行われる。また、第２のフレキシブル配線基板３０の接合は、ハンダを用いて行われる。しかし、両者の接合は別々の工程で行われるので、たとえば第２のフレキシブル配線基板３０の接合工程での温度が、第１のフレキシブル配線基板１０に悪影響を与えることがない。
【００５３】
（複合フレキシブル配線基板の製造方法）
次に、複合フレキシブル配線基板１００の製造例について、図４を参照しながら説明する。
【００５４】
まず予め、所定パターンの配線層１４、パワーＩＣチップ１８および必要に応じて設けられる電子部品などを有する第１のフレキシブル配線基板１０を、公知の方法によって作成しておく。同様に、所定パターンの配線層３４，３６、表面実装部品４４、コンタクト部３８および端子部３６ａなどを有する第２のフレキシブル配線基板３０を、公知の方法により作成しておく。
【００５５】
本実施の形態においては、第１のフレキシブル配線基板１０では、パワーＩＣチップ１８などの電子部品が異方性導電層２０によって接続されている。したがって、第１のフレキシブル配線基板１０の実装工程では、たとえば１９０〜２１０℃の比較的低温な接合工程が用いられる。これに対し、第２のフレキシブル配線基板３０の実装工程では、表面実装部品４４はハンダ層４６によって接続され、たとえば２００〜２６０℃の比較的高温なソルダディング工程が用いられる。
【００５６】
次いで、第１のフレキシブル配線基板１０上の所定領域（少なくとも層間コンタクト部が形成される領域）に、異方性導電フィルム５０Ａを介在させた状態で、第２のフレキシブル配線基板３０を位置決めして配置させる。その後、所定の温度たとえば１９０〜２１０℃で、熱圧着によって第１のフレキシブル配線基板１０と第２のフレキシブル配線基板３０とを接合することによって、複合フレキシブル配線基板１００が形成される。
【００５７】
この製造方法によれば、第１および第２のフレキシブル配線基板１０，３０を位置決めした状態で、両者の間に導電体（異方性導電フィルム５０Ａ）を介在させることで、層間コンタクト部５０を形成すると共に、第１および第２のフレキシブル配線基板１０，３０を接合できる。このように、本実施の形態の製造方法によれば、異方性導電フィルムを用いる単一の工程で接合できるため、複合フレキシブル配線基板を効率よく容易に製造できる。そして、前述したように、複合フレキシブル配線基板１００は、１枚のフレキシブル配線基板を用いる場合に比べてその面積を相対的に小さくできる。
【００５８】
［第２の実施の形態］
（電気光学装置）
本実施の形態は、本発明に係るフレキシブル配線基板を適用した電気光学装置の例として、液晶表示装置について説明する。図５は、本実施の形態に係る液晶表示装置１０００を模式的に示す平面図であり、図６は、図５のＢ−Ｂ線に沿った部分を模式的に示す断面図である。
【００５９】
液晶表示装置１０００は、たとえばパッシブマトリスク駆動方式の反射型液晶表示装置である。この液晶表示装置１０００は、液晶表示パネル２と、本発明に係る複合フレキシブル配線基板１００と、公知のフレキシブル配線基板５と、を有する。図５に示した例では、複合フレキシブル配線基板１００として、第１の実施の形態に係る複合フレキシブル配線基板１００を用いている。したがって、第１の実施の形態に係る複合フレキシブル配線基板１００と同様の機能を有する部分には同じ符号を付して、詳細な説明を省略する。
【００６０】
液晶表示パネル２は、相対向して配置された一対のガラス基板６、７を有している。これらガラス基板６、７の間には、表示領域を周回するように介在された図示しないシール材が配置されている。そして、これらガラス基板６、７とシール材とで形成される間隙には、液晶が封止されている。ガラス基板６の面であってガラス基板７と対向する面には、複数の信号電極８が平行をなすように形成されている。一方、ガラス基板７の面であってガラス基板６と対向する面には、信号電極８と直交する方向に沿って複数の走査電極９が形成されている。
【００６１】
液晶表示パネル２の所定の側縁部（図５において下側縁部）においては、ガラス基板６の縁部がガラス基板７の縁部より側方（図中、下側）へ突出するように設定され、この突出部（ガラス基板６がガラス基板７と重ならない領域）が配線接合領域６Ａを構成する。また、液晶表示パネル２の上述した側縁部に隣接する側縁部（図中、左側縁部）においては、他方のガラス基板７の縁部が一方のガラス基板６の縁部より側方（図中、左側）へ突出するように設定され、配線接合領域７Ａを構成する。
【００６２】
ガラス基板６側の配線接合領域６Ａには、信号用ドライバＩＣチップ８０Ａ，８０ＢがＣＯＧ（Chip On Glass）実装されている。これらの信号用ドライバＩＣチップ８０Ａ，８０Ｂは、複数の信号電極８が延在された出力端子部８Ａと、配線接合領域６Ａの縁部側に配置された入力端子部８１０とに接続されている。また、ガラス基板７の配線接合領域７Ａには、走査用ドライバＩＣチップ９０がＣＯＧ実装されている。この走査用ドライバＩＣチップ９０は、複数の走査電極９が延在された出力端子部９Ａと、配線接合領域７Ａの縁部側に配置された入力端子部９１０とに接続されている。
【００６３】
第１の複合フレキシブル配線基板１００の出力側端子領域１１Ｂは、ガラス基板６の配線接合領域６Ａの長辺部に沿って配置された複数の入力端子部８１０に対して電気的に接続されるように、異方性導電フィルム（ＡＣＦ）を介して接合されている。また、同様に、第２のフレキシブル配線基板５の出力側端子領域５Ａは、ガラス基板７の配線接合領域７Ａの長辺部に沿って配置された複数の入力端子部９１０に対して電気的に接続されるように、異方性導電フィルムを介して接合されている。図５において、符号１１Ａは、第１の複合フレキシブル配線基板１００の入力側端子領域を示し、符号５Ｂは、第２のフレキシブル配線基板５の入力側端子領域を示す。
【００６４】
本実施の形態に係る電気光学装置１０００においては、複合フレキシブル配線基板１００を用いていることから、液晶表示パネル２を制御・駆動するための電子部品を複合フレキシブル配線基板１００に搭載することができるため、従来の図１４に示すようなプリント基板３を要しない。
【００６５】
このように、本発明に係る電気光学装置によれば、本発明に係る複合フレキシブル配線基板を含み、この複合フレキシブル配線基板は、液晶表示パネル２を制御駆動するためのパワーＩＣおよびその他の電子部品が搭載されているため、電子部品が実装されたプリント基板を用いる必要がない。そのため、このようなリジットなプリント基板を用いた場合に比べて、液晶表示装置１０００の厚さ寸法を大幅に小さくすることができる。したがって、液晶表示装置の小型化，薄型化ならびに軽量化を達成することができる。
【００６６】
［第３の実施の形態］
（複合フレキシブル配線基板）
図７は、本発明に係る複合フレキシブル配線基板の層構造の変形例を模式的に示す断面図である。この例において、図１〜図３に示す第１の実施の形態の複合フレキシブル配線基板１００と実質的に同様の機能を有する部分には同じ符号を付して説明する。図７は、図３に対応した図である。
【００６７】
本実施の形態に係る複合フレキシブル配線基板２００は、２層の配線層を有する第１のフレキシブル配線基板１０と、１層の配線層を有する第２のフレキシブル配線基板３０とを有する。
【００６８】
第１のフレキシブル配線基板１０は、第１の片面フレキシブル基板１１０と、第２の片面フレキシブル基板１２０と、第１の片面フレキシブル基板１１０および第２の片面フレキシブル基板１２０の間に配置された異方性導電層１４０と、を有する。そして、第１のフレキシブル配線基板１０は、第１の実施の形態と同様に、複合フレキシブル配線基板２００の全体平面形状と一致する平面形状を有し、さらに、図示しない入力側端子領域と出力側端子領域とを有する。
【００６９】
第１の片面フレキシブル基板１１０は、絶縁性および可撓性を有するベース体１１２と、このベース体１１の下面に形成された所定パターンを有する配線層１１４とを有する。さらに、ベース体１１２の下面には、配線層１１４を覆うように絶縁層１１８が形成されている。そして、ベース体１１２の所定領域には、コンタクト部を構成するためのホールが形成されている。このホールには、導電層１１６ａが形成され、この導電層１１６ａの上部にはバンプ１１６ｂが形成され、導電層１１６ａおよびバンプ１１６ｂによってコンタクト部１１６が構成されている。
【００７０】
第２の片面フレキシブル基板１２０は、第１の片面フレキシブル基板１１０と同様に、絶縁性および可撓性を有するベース体１２２と、このベース体１２２上に形成された所定パターンを有する配線層１２４とを有する。ベース体１２２上には、配線層１２４を覆うように絶縁層１２８が形成されている。そして、ベース体１２２の所定領域には、コンタクト部を構成するためのホール１２６が形成されている。そして、第１の片面フレキシブル基板１１０の配線層１１４と、第２の片面フレキシブル基板１２０の配線層１２４とは、コンタクト部１１６および異方性導電層１４０を介して電気的に接続されている。
【００７１】
第２の片面フレキシブル基板１２０には、異方性導電層１３１を介してパワーＩＣチップ１８が導電層１２４に電気的に接続されている。
【００７２】
第２のフレキシブル配線基板３０は、片面フレキシブル基板に表面実装部品４４が搭載されている。すなわち、第２のフレキシブル配線基板３０は、絶縁性および可撓性を有するベース体１３２と、このベース体１３２上に形成された所定パターンを有する配線層１３４とを含む。ベース体１３４上には、配線層１３４を覆うように絶縁層１３６が形成されている。そして、絶縁層１３６の所定領域には実装部品が搭載されるための実装用ホール１３７が形成されている。この実装用ホール１３７には、表面実装部品４４がハンダ層４６を介して導電層１３４に電気的に接続されている。
【００７３】
第１のフレキシブル配線基板１０と、第２のフレキシブル配線基板３０とは、異方性導電層１５０によって接合されている。そして、第１のフレキシブル配線基板１０の配線層１２４と、第２のフレキシブル配線基板３０の配線層１３４とは、所定位置において、例えば図７に示す例では、端子部１３６ａで異方性導電層１５０からなる層間コンタクト部によって電気的に接合されている。
【００７４】
本実施の形態の複合フレキシブル配線基板２００によれば、第１の実施の形態に係る複合フレキシブル配線基板と同様な作用効果が得られる。
【００７５】
［第４の実施の形態］
（複合フレキシブル配線基板）
図８および図９に、本発明に係る複合フレキシブル配線基板の変形例を示す。図８は、複合フレキシブル配線基板３００を模式的に示す平面図であり、図９は、図８のＣ−Ｃ線に沿った部分を模式的に示す断面図である。この例において、前述した複合フレキシブル配線基板１００と実質的に同じ機能を有する部分には同じ符号を付して、その詳細な説明を省略する。
【００７６】
この例の複合フレキシブル配線基板３００は、第１の実施の形態に係る複合フレキシブル配線基板１００に、さらに片面フレキシブル配線基板６０が接合されている。そして、この片面フレキシブル配線基板６０は、分岐配線部を構成し、その自由端には、第２の出力側端子領域６１Ｂが設けられている。
【００７７】
次に、図９を参照しながら、複合フレキシブル配線基板３００と片面フレキシブル配線基板６０との接合部の断面構造を説明する。
【００７８】
第１のフレキシブル配線基板１０は、絶縁性および可撓性を有するベース体１２と、このベース体１２上に形成された所定パターンを有する配線層１４とを含む。ベース体１２上には、配線層１４を覆うように絶縁層１６が形成されている。そして、ベース体１２の所定領域には、コンタクト部を構成するためのホール１５が形成されている。ホール１５は、ベース体１２の一部を除去し、配線層１４の一部が露出するように形成されている。
【００７９】
片面フレキシブル配線基板６０は、絶縁性および可撓性を有するベース体６２と、このベース体６２上に形成された所定パターンを有する配線層６４とを含む。ベース体６２上には、配線層６４を覆うように絶縁層６６が形成されている。そして、絶縁層６６の所定領域には、コンタクト部Ｃ６０を構成するためのホール６７が形成されている。ホール６７は、絶縁層６６の一部を除去し、配線層６４の一部が露出するように形成されている。そして、ホール６７の内部には、コンタクト部Ｃ６０を構成するバンプ６８が形成されている。このバンプ６８は、絶縁層６６の上面より突出して形成されることが望ましい。
【００８０】
第１のフレキシブル配線基板１０と、片面フレキシブル配線基板６０とは、それぞれの配線層１４および６４が互いに対向するように配置される。そして、第１のフレキシブル配線基板１０と片面フレキシブル配線基板６０とは、異方性導電層７０によって接合される。この異方性導電層７０によって、第１のフレキシブル配線基板１０の導電層１４と、片面フレキシブル配線基板６０のコンタクト部Ｃ６０とが電気的に接続される。
【００８１】
このような複合フレキシブル配線基板３００によれば、前述した複合フレキシブル配線基板１００の作用効果に加えて、一枚の複合フレキシブル配線基板３００で被接続体（たとえば後述する電気光学装置）の２つの端子領域に接続ができ、よりコンパクトな配線構造を得ることができる。すなわち、複合フレキシブル配線基板３００を電気光学装置に適用する場合に、たとえば、第１のフレキシブル配線基板１０の出力側端子領域１１Ｂを電気光学装置の信号用配線として用い、片面フレキシブル配線基板６０の出力側端子領域６１Ｂを走査用配線として用いることができる。
【００８２】
［第５の実施の形態］
（電気光学装置）
本実施の形態は、本発明に係る複合フレキシブル配線基板を適用した電気光学装置の例として、液晶表示装置について説明する。図１０は、本実施の形態に係る液晶表示装置１０００を模式的に示す平面図である。図１０に示す液晶表示装置１０００において、第２の実施の形態に係る液晶表示装置１０００（図５参照）と実質的に同一の機能を有する部材には同一の符号を付し、詳細な説明を省略する。
【００８３】
本実施の形態の液晶表示装置１０００は、第４の実施の形態に係る複合フレキシブル配線基板３００を用いている。
【００８４】
本実施の形態の液晶表示装置１０００は、第２の実施の形態に係る液晶表示装置１０００と、第２の配線接合領域７Ａにおける配線の接合状態が異なる。
【００８５】
すなわち、走査用ドライバＩＣチップ９０の接合端子部９１０Ａは、第２の配線接合領域７Ａで引き回されて、その入力側端子部９１０Ａが片面フレキシブル配線基板６０側の端部まで伸びるように配置されている。このように、本実施の形態においては、第２の配線接合領域７Ａにおいて、入力側端子部９１０Ａは、走査電極９と直交する方向、すなわち信号電極８と平行な方向に伸びるように配置されることが望ましい。入力側端子部９１０Ａがこのように配置されることにより、第２の配線接合領域７Ａの短辺側で片面フレキシブル配線基板６０が接合される。したがって、図５で示した第２の実施の形態の液晶表示装置１０００に比べて、走査用ドライバＩＣチップ９０とフレキシブル基板５の出力側端子部５Ａとを離間させる寸法と、フレキシブル基板５の屈曲に必要な折りしろ分が不要となる。その結果、液晶表示パネル２の全面に対する表示領域の占める面積比率をより大きくすることができる。
【００８６】
本実施の形態に係る液晶表示装置１０００によれば、第２の実施の形態に係る液晶表示装置１０００の作用効果に加えて、液晶表示パネル２の表示領域をさらに拡大できる。
【００８７】
［第６の実施の形態］
（液晶パネルの変形例）
図１１に液晶パネル２の変形例を示す。図１１において、図５と実質的に同一の機能を有する部分には同一の符号を付して、その詳細な説明を省略する。
【００８８】
図５に示す液晶パネルでは、本発明の複合フレキシブル配線基板をパッシブマトリクス駆動方式の液晶表示パネルに適用した例を示したが、本発明の複合フレキシブル配線基板は、画素電極のスイッチング素子としてＴＦＤ素子を用いたアクティブマトリクス駆動方式の液晶パネルにも適用できる。
【００８９】
第１の接合領域６Ａおよび第２の接合領域７Ａの構造は、図５の液晶パネルと同様になるので、シール材内部の構造について図１１に示す。
【００９０】
液晶表示パネル２は、互いに対向して配置された第１の基板６および第２の基板７を有する。これらの第１および第２の基板６および７の間には、表示領域を周回するようにシール材（図示せず）が配置されている。そして、これらの第１，第２の基板６，７とシール材とで形成される領域には、図示しない液晶層が封入されている。第１および第２の基板６，７は、たとえばガラス基板，プラスチック基板などから構成される。
【００９１】
また、第１の基板６の面であって、第２の基板７と対向する側の面には、マトリクス状に配置された複数の画素電極１０３４と、Ｘ方向に延在する信号電極８と、が配置されるとともに、１列分の画素電極１０３４の各々が１本の信号電極８にそれぞれＴＦＤ素子１０２０を介して共通接続されている。画素電極１０３４は、表示光に対して透明性を有する導電材料、たとえばＩＴＯ（Indium Tim Oxide）で形成されている。ＴＦＤ素子１０２０は、基板６側からみると、第１の金属膜１０２２と、この第１の金属膜１０２２を陽極酸化した酸化膜１０２４と、第２金属膜１０２６とから構成されて、金属／絶縁体／金属のサンドイッチ構造を採る。このため、ＴＦＤ素子１０２０は、正負双方向のダイオードスイッチング特性を有することになる。
【００９２】
一方、第２の基板７の面であって、第１の基板６と対向する側の面には、複数の走査電極９が配置されている。これらの走査電極９は、信号電極８とは直交する所定の方向（図１１においてＹ方向）に沿って、互いに所定間隔をおいて平行に配置され、かつ画素電極１０３４の対向電極となるように配列している。カラーフィルタは、図１１においては図示を省略しているが、走査電極９と画素電極１０３４とが互いに交差する領域に対応して設けられている。
【００９３】
また、液晶表示パネル２は、図５に示した第２の実施の形態と同様に、その隣接する２辺において、第１の配線接合領域６Ａと、第２の配線接合領域７Ａとを有し、本発明の複合フレキシブル配線基板、たとえば第１，第３および第４の実施の形態に係る複合フレキシブル配線基板を接続することができる。
【００９４】
［第７の実施の形態］
（電子機器）
以下に、本発明に係る電気光学装置として液晶表示装置を用いた電子機器の例を示す。
【００９５】
（１）ディジタルスチルカメラ
本発明に係る液晶表示装置をファインダに用いたディジタルスチルカメラについて説明する。図１２は、このディジタルスチルカメラの構成を示す斜視図であり、さらに外部機器との接続についても簡易的に示すものである。
【００９６】
通常のカメラは、被写体の光像によってフィルムを感光するのに対し、ディジタルスチルカメラ１２００は、被写体の光像をＣＣＤ（Charge Coupled Device）などの撮像素子により光電変換して撮像信号を生成するものである。ここで、ディジタルスチルカメラ１２００におけるケース１２０２の背面（図１２においては前面側）には、上述した液晶表示装置１０００の液晶パネルが設けられ、ＣＣＤによる撮像信号に基づいて、表示を行う構成となっている。このため、液晶表示装置１０００は、被写体を表示するファインダとして機能する。また、ケース１２０２の前面側（図１２においては裏面側）には、光学レンズやＣＣＤなどを含んだ受光ユニット１２０４が設けられている。
【００９７】
ここで、撮影者が液晶表示装置１０００に表示された被写体像を確認して、シャッタボタン１２０６を押下すると、その時点におけるＣＣＤの撮像信号が、回路基板１２０８のメモリに転送・格納される。また、このディジタルスチルカメラ１２００にあっては、ケース１２０２の側面に、ビデオ信号出力端子１２１２と、データ通信用の入出力端子１２１４とが設けられている。そして、図１２に示されるように必要に応じて、前者のビデオ信号出力端子１２１２にはテレビモニタ１３００が接続され、また、後者のデータ通信用の入出力端子１２１４にはパーソナルコンピュータ１４００が接続される。さらに、所定の操作によって、回路基板１２０８のメモリに格納された撮像信号が、テレビモニタ１３００や、パーソナルコンピュータ１４００に出力される構成となっている。
【００９８】
（２）携帯電話、その他の電子機器
図１３（Ａ）、（Ｂ）、および（Ｃ）は、本発明に係る電気光学装置として液晶表示装置を用いた、他の電子機器の例を示す外観図である。図１３（Ａ）は、携帯電話機３０００であり、その前面上方に液晶表示装置１０００を備えている。図１３（Ｂ）は、腕時計４０００であり、本体の前面中央に液晶表示装置１０００を用いた表示部が設けられている。図１３（Ｃ）は、携帯情報機器５０００であり、液晶表示装置１０００からなる表示部と入力部５１００とを備えている。
【００９９】
これらの電子機器は、液晶表示装置１０００の他に、図示しないが、表示情報出力源、表示情報処理回路、クロック発生回路などの様々な回路や、それらの回路に電力を供給する電源回路などからなる表示信号生成部を含んで構成される。表示部には、例えば携帯情報機器５０００の場合にあっては入力部５１００から入力された情報等に基づき表示信号生成部によって生成された表示信号が供給されることによって表示画像が形成される。
【０１００】
本発明に係る液晶表示装置１０００が組み込まれる電子機器としては、ディジタルスチルカメラ、携帯電話機、腕時計、および携帯情報機器に限らず、電子手帳、ページャ、ＰＯＳ端末、ＩＣカード、ミニディスクプレーヤ、液晶プロジェクタ、マルチメディア対応のパーソナルコンピュータ（ＰＣ）およびエンジニアリング・ワークステーション（ＥＷＳ）、ノート型パーソナルコンピュータ、ワードプロセッサ、テレビ、ビューファインダ型またはモニタ直視型のビデオテープレコーダ、電子手帳、電子卓上計算機、カーナビゲーション装置、タッチパネルを備えた装置、時計など様々な電子機器が考えられる。
【０１０１】
なお、液晶表示パネルは、駆動方式で言えば、パネル自体にスイッチング素子を用いない単純マトリクス液晶表示パネルやスタティック駆動液晶表示パネル、またＴＦＴ（薄膜トランジスタ）で代表される三端子スイッチング素子あるいはＴＦＤ（薄膜ダイオード）で代表される二端子スイッチング素子を用いたアクティブマトリクス液晶表示パネル、電気光学特性で言えば、ＴＮ型、ＳＴＮ型、ゲストホスト型、相転移型、強誘電型など、種々のタイプの液晶パネルを用いることができる。
【０１０２】
［第８の実施の形態］
（電気光学装置）
本実施の形態は、本発明に係るフレキシブル配線基板を適用した電気光学装置の例として、ＥＬ表示装置について説明する。図１５は、本実施の形態に係るＥＬ表示装置６０００を模式的に示す平面図である。
【０１０３】
ＥＬ表示装置６０００は、ＥＬ表示パネル２１と、本発明に係る複合フレキシブル配線基板１００と、公知のフレキシブル配線基板５と、を有する。図１５に示した例では、複合フレキシブル配線基板１００として、第１の実施の形態に係る複合フレキシブル配線基板１００を用いている。したがって、第１の実施の形態に係る複合フレキシブル配線基板１００と同様の機能を有する部分には同じ符号を付して、詳細な説明を省略する。もちろん、複合フレキシブル配線基板として、第３，第４の実施の形態にかかるものを用いることもできる。
【０１０４】
ＥＬ表示パネル２１は、基板６上に有機ＥＬ構造体２１０を有している。有機ＥＬ構造体２１０は、図示しない、ホール輸送層、発光層、電子輸送層および必要に応じて設けられる保護層が積層された構造を有する。有機ＥＬ構造体２１０の下面（基板６の上面）には、複数の信号電極８が平行に設けられ、有機ＥＬ構造体２１０の上面には、信号電極８と直交する方向に沿って複数の走査電極９が形成されている。
【０１０５】
ＥＬ表示パネル２１の所定の側縁部（図１５において下側縁部）は、第１の配線接合領域６Ａを構成する。また、ＥＬ表示パネル２１の上述した側縁部に隣接する側縁部（図中、左側縁部）は、第２の配線接合領域６Ｂを構成する。
【０１０６】
第１の配線接合領域６Ａには、信号用ドライバＩＣチップ８０Ａ，８０ＢがＣＯＧ（Chip On Glass）実装されている。これらの信号用ドライバＩＣチップ８０Ａ，８０Ｂは、複数の信号電極８が延在された出力端子部８Ａと、第１の配線接合領域６Ａの縁部側に配置された入力端子部８１０とに接続されている。また、第２の配線接合領域６Ｂには、走査用ドライバＩＣチップ９０がＣＯＧ実装されている。この走査用ドライバＩＣチップ９０は、複数の走査電極９が延在された出力端子部９Ａと、第２の配線接合領域６Ｂの縁部側に配置された入力端子部９１０とに接続されている。
【０１０７】
第１の複合フレキシブル配線基板１００の出力側端子領域１１Ｂは、ガラス基板６の第１の配線接合領域６Ａの長辺部に沿って配置された複数の入力端子部８１０に対して電気的に接続されるように、異方性導電フィルム（ＡＣＦ）を介して接合されている。また、同様に、第２のフレキシブル配線基板５の出力側端子領域５Ａは、第２の配線接合領域６Ｂの長辺部に沿って配置された複数の入力端子部９１０に対して電気的に接続されるように、異方性導電フィルムを介して接合されている。図１５において、符号１１Ａは、第１の複合フレキシブル配線基板１００の入力側端子領域を示し、符号５Ｂは、第２のフレキシブル配線基板５の入力側端子領域を示す。
【０１０８】
本実施の形態に係るＥＬ表示装置６０００においては、複合フレキシブル配線基板１００を用いていることから、ＥＬ表示パネル２１を制御・駆動するための電子部品を複合フレキシブル配線基板１００に搭載することができる。
【０１０９】
このように、本発明に係る電気光学装置によれば、本発明に係る複合フレキシブル配線基板を含み、この複合フレキシブル配線基板は、ＥＬ表示パネル２１を制御駆動するためのパワーＩＣおよびその他の電子部品が搭載されているため、電子部品が実装されたリジットなプリント基板を用いる必要がない。そのため、このようなリジットなプリント基板を用いた場合に比べて、ＥＬ表示装置６０００の厚さ寸法を大幅に小さくすることができる。したがって、ＥＬ表示装置の小型化，薄型化ならびに軽量化を達成することができる。
【０１１０】
本発明に係る装置は、そのいくつかの特定の実施の形態に従って説明してきたが、本発明はその要旨の範囲内で種々の変形が可能である。例えば上述した実施の形態では、電気光学装置の映像表示手段（電気光学表示部）として液晶ディスプレイおよびＥＬ表示装置を使用した場合について説明したが、本発明ではこれに限定されず、例えば薄型のブラウン管、あるいは液晶シャッター等を用いた小型テレビ、プラズマディスプレイ、ＣＲＴディスプレイ、ＦＥＤ（Field Emission Display）パネル等の種々の電気光学手段を使用することができる。
【図面の簡単な説明】
【図１】本発明の第１の実施の形態に係る複合フレキシブル配線基板を模式的に示す平面図である。
【図２】図１に示す複合フレキシブル配線基板の側面図である。
【図３】図１のＡ−Ａ線に沿った部分を模式的に示す断面図である。
【図４】本発明の第１の実施の形態に係る複合フレキシブル配線基板の製造工程を模式的に示す断面図である。
【図５】本発明の第２の実施の形態に係る電気光学装置の一例としての液晶表示装置を模式的に示す平面図である。
【図６】図５のＢ−Ｂ線に沿った部分を模式的に示す断面図である。
【図７】本発明の第３の実施の形態に係る複合フレキシブル配線基板を模式的に示す断面図である。
【図８】本発明の第４の実施の形態に係る複合フレキシブル配線基板を模式的に示す平面図である。
【図９】図８のＣ−Ｃ線に沿った部分を模式的に示す断面図である。
【図１０】本発明の第５の実施の形態に係る電気光学装置の例としての液晶表示装置を模式的に示す平面図である。
【図１１】本発明の第６の実施の形態に係る液晶表示装置を構成する液晶パネルを模式的に示す斜視図である。
【図１２】本発明の第７の実施の形態に係る電子機器の例としてのデジタルスチルカメラを示す斜視図である。
【図１３】（Ａ）〜（Ｃ）は、本発明の第７の実施の形態に係る電子機器の適用例を示し、（Ａ）は携帯電話機であり、（Ｂ）は腕時計であり、（Ｃ）は携帯情報機器である。
【図１４】従来の液晶表示装置の一例を模式的に示す平面図である。
【図１５】本発明の第８の実施の形態に係る電気光学装置の例としてのＥＬ表示装置を模式的に示す平面図である。
【符号の説明】
１０  第１のフレキシブル配線基板
１２  ベース体
１４  配線層
１６  絶縁層
１８  パワーＩＣチップ
３０  第２のフレキシブル配線基板
３２  ベース体
３４  上面配線層
３６  下面配線層
３６ａ  端子部
３８  コンタクト部
４０  上面絶縁層
４２  下面絶縁層
４４  表面実装部品
４６  ハンダ層
５０  層間コンタクト部
１００，２００，３００  複合フレキシブル配線基板
１０００  液晶表示装置
２  液晶表示パネル
２１  ＥＬ表示パネル
６，７  基板
６Ａ，７Ａ  配線接合領域
【図１】
0003952125.tif 000002
【図２】
0003952125.tif 000003
【図３】
0003952125.tif 000004
【図４】
0003952125.tif 000005
【図５】
0003952125.tif 000006
【図６】
0003952125.tif 000007
【図７】
0003952125.tif 000008
【図８】
0003952125.tif 000009
【図９】
0003952125.tif 000010
【図１０】
0003952125.tif 000011
【図１１】
0003952125.tif 000012
【図１２】
0003952125.tif 000013
【図１３】
0003952125.tif 000014
【図１４】
0003952125.tif 000015
【図１５】
0003952125.tif 000016